(57)【要約】      （修正有）【課題】表示装置を数台並べて大画面化するマルチディスプレイ装置の表示の色合い、明るさを自動調整する。【解決手段】マイクロコンピュータを内蔵した複数の表示装置と、表示装置の色度、輝度を計測する色彩計を使用し、複数の表示装置を組み合わせて、マルチディスプレイ装置とし、色彩計を使用して、各表示装置の色度、輝度を調整する表示装置の表示調整方法であって、複数の表示装置をマルチディスプレイ化した後で、マルチディスプレイを構成する各表示装置画面を表示調整用パターン表示とし、色彩計をマルチディスプレイを構成している表示装置と接続し、色彩計を表示装置の中心部にあて、表示装置の色度、輝度を測定し、表示装置に内蔵されているマイクロコンピュータが、色彩計から、計測した色度、輝度の実測値を読み込み、表示装置に内蔵されているマイクロコンピュータにより、事前に設定されている色度、輝度に調整する表示装置の表示調整方法。【選択図】図１
2008299066.tif 000002
【特許請求の範囲】
【請求項１】
マイクロコンピュータを内蔵した複数の表示装置と、該表示装置の色度、輝度を計測する色彩計を使用し、前記複数の表示装置を組み合わせて、マルチディスプレイ装置とし、前記色彩計を使用して、各表示装置の色度、輝度を調整する表示装置の表示調整方法であって、複数の表示装置をマルチディスプレイ化した後で、マルチディスプレイを構成する各表示装置画面を表示調整用パターン表示とし、色彩計をマルチディスプレイを構成している表示装置と接続し、色彩計を表示装置の表面に接触させ、表示装置の色度、輝度を測定し、前記表示装置に内蔵されているマイクロコンピュータが、前記色彩計から、前記計測した色度、輝度の実測値を読み込み、表示装置に内蔵されているマイクロコンピュータにより、事前に設定されている色度、輝度に調整することを特徴とする表示装置の表示調整方法。
【発明の詳細な説明】
【技術分野】
【０００１】
本発明は、表示装置を数台並べて大画面化するマルチディスプレイ装置の表示の色合い、明るさを自動調整する表示調整方法および表示調整装置に関する。
【背景技術】
【０００２】
近年パソコンから出力されるビデオ信号は、多チャンネル画面出力のグラフィックボードが出現しており、表示装置側も数台並べて大画面にするマルチディスプレイ化の要求がある。一方大画面の表示装置も普及しているが、最も普及している１７型や１９型の液晶パネルを数台使用して、縦に並べたり、横に並べたり、レイアウトを自由に変えられることから、マルチディスプレイ化の要求も増加している。
マルチディスプレイ化した場合、各表示装置にビデオ信号を入力し個別に表示するが、代表的ビデオ信号であるアナログＲＧＢ信号の場合、多画面出力グラフィックカードから出力するアナログＲＧＢ信号の振幅に差があったり、また、各表示装置のバックライトの明るさのばらつきもあるため、厳密に見ると隣の表示装置の色合いや明るさの違いが見えてしまっていた。工場出荷の際、一定の色合い、コントラスト調整を実施しているが、上記ばらつきを解消するには、出荷時点での調整では不可能であった。最終の微調整をするには、設置現場にて各表示装置からケーブルで引き出されている操作スイッチを操作し、目視で色合いや明るさを変更して隣同士の差がないように調整していた。また、何年か稼働しているうちに、バックライトの寿命にもばらつきがあるため、明るさに差が出てきてしまうことがあり、輝度調光が最大に設定されている場合、それ以上明るくすることはできないため、暗く感じる表示装置のランプ交換作業を実施しなければならなかった。
【０００３】
【特許文献１】特開平０８−００９４０６号
【発明の開示】
【発明が解決しようとする課題】
【０００４】
上記従来の調整方法では、マルチディスプレイ装置として組立後、各表示装置に対し微調整をしなければならず調整作業には熟練を要した。また、各表示装置からケーブルで引き出されている操作スイッチで調整するため、表示装置の数が多くなればなるほど、遠くの表示装置との視野角に差が発生し、操作者の判断では調整できなかった。調整が困難なため、色合い、明るさが少々違っていても微調整せずにそのまま使用していた。そのため、現場で簡単に短時間で調整できる調整方法および自動調整機能を持った表示装置が必要であった。また、バックライトが暗く感じるようになった場合、通常であればランプを交換する作業を実施するが、作業は簡単ではなく表示装置を外しランプを交換しなければならず、少しでも寿命を長くする手段が必要とされた。
【課題を解決するための手段】
【０００５】
マイクロコンピュータを内蔵した複数の表示装置と、該表示装置の色度、輝度を計測する色彩計を使用し、前記複数の表示装置を組み合わせて、マルチディスプレイ装置とし、前記色彩計を使用して、各表示装置の色度、輝度を調整する表示装置の表示調整方法であって、複数の表示装置をマルチディスプレイ化した後で、マルチディスプレイを構成する各表示装置画面を表示調整用パターン表示とし、色彩計をマルチディスプレイを構成している表示装置と接続し、色彩計を表示装置の表面に接触させ、表示装置の色度、輝度を測定し、前記表示装置に内蔵されているマイクロコンピュータが、前記色彩計から、前記計測した色度、輝度の実測値を読み込み、表示装置に内蔵されているマイクロコンピュータにより、事前に設定されている色度、輝度に調整する表示装置の表示調整方法を提案するものである。
【発明の効果】
【０００６】
本発明によれば、現場での人の手による煩わしいマニュアル調整をせずに、短時間で目標の色度、輝度数値に調整することができるため、各表示装置間での色合いや明るさに差がない大画面表示が実現できる。
また、メンテナンスにおける再表示調整に対しても、上記調整を実施することで作業時間は短縮される。
【実施例】
【０００７】
以下、本発明の詳細を添付図面を参照して説明する。図１は本発明のマルチディスプレイ装置の構成概要図である。
【０００８】
１は、１ａ，１ｂ，１ｃ，１ｄの表示装置を組み合わせた４面マルチディスプレイの１例である。２は、画像表示制御を担当しビデオ信号を出力するパソコンであり、多画面出力グラフィックカード３が内蔵されている。多画面出力グラフィックカード３には、３ａ〜３ｄのビデオ信号出力コネクタが搭載されている。一方表示装置１ａ〜１ｄには、ビデオ信号入力コネクタ５ａ〜５ｄが取り付いており、それぞれビデオケーブル４ａ〜４ｄで接続され、多画面出力グラフィックカード３からの制御によりマルチディスプレイ装置１ａ〜１ｄに大画面表示することができる。
【０００９】
表示調整を行うにあたり、パソコン２には、あらかじめ表示調整用パターンが出力されるプログラムがインストールされている。表示調整用パターンは画面全体がグレー一定パターン（黒と白の５０％中間色）を使用している。グレー一定パターンにする利点は、画面全体が均一データを表示しているため、測定位置が中心からずれても画面の角までずれなければ、測定した実測値には差がでない特徴がある。
【００１０】
色度データは、国際照明委員会ＣＩＥが１９３１年策定した国際表示法であり、ＣＩＥ１９３１が一般的である。色度データはｘｙ色度座標（ｘ、ｙ）で表現され、グレーパターンの場合、理論的にはＲ，Ｇ，Ｂは均等であり、各基準電圧レベルが同一であれば、（0.31、0.31）データとなる。目標の色度値を変えることで、任意の色度値にすることができる。実測値が異なればＲ，Ｇ，Ｂのどの数値を変更するかはｘｙ色度座標から判断できる。
【００１１】
色彩計７は、ＲＳ−２３２Ｃ  Ｉ／Ｆケーブル８で、表示装置１ａのＲＳ−２３２Ｃ  Ｉ／Ｆコネクタ６ａに接続すればよい。表示装置１ａの調整が終われば、シリアルＩ／Ｆケーブル８をコネクタ６ｂにつなぎ変えて表示装置１ｂを調整する。同様に１ｃ、１ｄを調整する。色彩計７は、表示画面のほぼ中心位置に合わせ、距離は５０ｃｍ〜１ｍで測定可能である。
【００１２】
次に本発明のマルチディスプレイ装置を自動調整するシステム構成図を図２により説明する。図１で説明した箇所は、説明を省略する。パソコン２から送られてくるアナログＲＧＢ信号は、ビデオ信号入力コネクタ５ａ〜５ｄに入力されＡ／Ｄ変換器１４でデジタルデータ１９に変換されスケーラＩＣ１２に入力される。スケーラＩＣ１２は、マイコン１３からのコマンドデータ２１を受け取り、表示動作モードを変更することができる。スケーラＩＣ１２から液晶パネル１０に表示制御データ２２を送ることで、液晶パネル１０は表示する。一方マイコン１３からは、Ａ／Ｄ変換器１４に、基準電圧レベル調整信号２０を送り、Ａ／Ｄ変換するＲ，Ｇ，Ｂ各基準電圧レベルを調整できるようにしている。また、液晶パネル１０のバックライトの明るさを制御するインバータ１１には、ＯＮ／ＯＦＦ信号と輝度調光信号２３を送り、輝度調光制御をしている。また、色彩計７には、測定開始ボタン１８が搭載されており、ボタンを押すと表示装置１の光源を測定開始し、ＲＳ−２３２Ｃ  Ｉ／Ｆケーブル８を介してさらに、ＲＳ−２３２ＣドライバＩＣ１５を通りマイコン１３と通信ができるようになっている。また、手動による調整操作もできるように操作スイッチ１７とマイコン１３とは、操作スイッチケーブル１６で接続されている。また、操作スイッチ１７から、目標とする色度、輝度値を入力することができる。
【００１３】
次に本発明のマルチディスプレイ装置を自動調整する動作の流れについて、図２、３を使用して説明する。
自動調整のためのセッティングが完了し、色彩計７の測定開始ボタン１８を押すと、表示装置１のマイコン１３は色彩計７と通信を開始し（Ｓ１）、マイコン１３は色彩計７にコマンドを送り、実測した色度データ転送を要求する。色彩計７は、コンピュータと接続しデータ処理ができるように、コマンド体系が整っているため容易に通信できるようになっている。表示装置１のマイコン１３は、操作スイッチ１７からの入力により、事前に目標とする色度、輝度値をマイコン１３内部の不揮発性メモリに記憶しておくことができる（Ｓ２，Ｓ５）。実測値と比較することで、Ａ／Ｄ変換器１４の基準電圧レベルを変更するＲＧＢ基準電圧レベル調整信号２０で、Ｒ，Ｇ，Ｂそれぞれを変更する（Ｓ２）。Ｒ，Ｇ，Ｂを調整後再度実測データを読み（Ｓ３）、目標値と一致したか比較をする（Ｓ４）。一致しなければ再度Ｒ，Ｇ，Ｂレベルを調整し比較する（Ｓ２〜Ｓ４）。比較結果が一致した場合、輝度実測値を読み、事前に設定した目標輝度値と比較する（Ｓ５）。一致していれば、調整した数値を記憶し通常表示モードに戻る（Ｓ７）。
【００１４】
実測値の方が高ければ輝度をさげれば良いため、バックライトの輝度調光を暗くして一致するようにすれば良い（Ｓ９）。実測値の方が低い場合、バックライトの輝度調光が最大でなければ、輝度調光を明るくする（Ｓ１１）。目標値と一致すれば良いが、最大にしても暗い場合、コントラストのレベルを下げて行き白を強くすることで輝度をある程度上げることができ、バックライトの交換時期を遅らせることが可能になる（Ｓ１３）。
コントラストの調整方法は、上述したＲＧＢ基準電圧レベル調整信号２０で調整する。色度調整の場合は、Ｒ，Ｇ，Ｂ各基準電圧レベルを調整したが、コントラスト調整の場合は、Ｒ，Ｇ，Ｂ基準電圧レベルを同数値変更する。コントラスト調整が限界であると判断した場合は、バックライト交換メッセージを出力表示する。
【００１５】
また、実施例では、入力するビデオ信号がアナログＲＧＢ信号に対する調整方法を説明したが、デジタルＤＶＩ信号の場合は、Ａ／Ｄ変換器１４を介さずに、スケーラＩＣ１２内部処理により、ＲＧＢデータを変換することも可能である。
【図面の簡単な説明】
【００１６】
【図１】本発明のマルチディスプレイ装置の構成概要図
【図２】本発明のマルチディスプレイ装置を自動調整するシステム構成図
【図３】本発明のマルチディスプレイ装置を自動調整する動作フロー
【符号の説明】
【００１７】
１  表示装置
１ａ〜１ｄ  各表示装置
２  パソコン
３  多画面出力グラフィックカード
３ａ〜３ｄ  ビデオ信号出力コネクタ
４ａ〜４ｄ  ビデオケーブル
５ａ〜５ｄ  ビデオ信号入力コネクタ
６ａ〜６ｄ  ＲＳ−２３２ＣＩ／Ｆコネクタ
７  色彩計
８  ＲＳ−２３２Ｃケーブル
９  表示装置からの光源
１０  液晶パネル
１１  インバータ
１２  スケーラＩＣ
１３  マイコン
１４  Ａ／Ｄ変換器  
１５  ＲＳ−２３２ＣドライバＩＣ
１６  操作スイッチケーブル
１７  操作スイッチ
１８  測定開始ボタン
１９  デジタルデータ
２０  ＲＧＢ基準電圧レベル調整信号
２１  コマンドデータ
２２  表示制御データ
２３  輝度調光信号
【図１】
2008299066.tif 000003
【図２】
2008299066.tif 000004
【図３】
2008299066.tif 000005